(57)【要約】【課題】安価に製造することができると共に、屋根に屋根材と共に太陽電池モジュールを外観上体裁よく配置することができ、また、屋根材を中途半端に切断する必要がなくて、屋根材及び太陽電池モジュールの屋根への設置が簡単で、屋根材の廃材が生じ難く経済的になるようにする。【解決手段】寄棟屋根等の屋根１に、屋根材３と共に配置される太陽電池モジュールにおいて、太陽電池モジュールの縦幅Ｄ２又は横幅Ｗ２の一方が、屋根材３の同方向の働き寸法Ｄ１，Ｗ１の整数倍に設定されている。また、太陽電池モジュールの縦幅Ｄ２が、屋根材３の縦方向の働き寸法Ｄ１の整数倍に設定され、太陽電池モジュールを、順次幅方向に１枚、１／２枚、１／３枚又は１／４枚ずつずらして屋根１の屋根流れ方向に並べたときに、複数の太陽電池モジュールが、屋根１の隅棟稜線Ａと略平行に並ぶように、太陽電池モジュールの横幅Ｗ２が設定されている。【選択図】図１
2005146538.tif 000002
【特許請求の範囲】
【請求項１】
寄棟屋根等の屋根（１）に、屋根材（３）と共に配置される太陽電池モジュールにおいて、
太陽電池モジュールの縦幅（Ｄ２）又は横幅（Ｗ２）の一方が、屋根材（３）の同方向の働き寸法（Ｄ１，Ｗ１）の整数倍に設定されていることを特徴とする太陽電池モジュール。
【請求項２】
太陽電池モジュールの縦幅（Ｄ２）が、屋根材（３）の縦方向の働き寸法（Ｄ１）の整数倍に設定され、太陽電池モジュールを、幅方向に１枚、１／２枚、１／３枚又は１／４枚ずつずらして順次屋根（１）の屋根流れ方向に並べたときに、複数の太陽電池モジュールが、屋根（１）の隅棟稜線（Ａ）と略平行に並ぶように、太陽電池モジュールの横幅（Ｗ２）が設定されていることを特徴とする請求項１に記載の太陽電池モジュール。
【請求項３】
太陽電池モジュールの横幅（Ｗ２）が、屋根材（３）の横方向の働き寸法（Ｗ１）の整数倍に設定され、太陽電池モジュールを、幅方向に１枚、１／２枚、１／３枚又は１／４枚ずつずらして順次屋根（１）の屋根流れ方向に並べたときに、複数の太陽電池モジュールが、屋根（１）の隅棟稜線（Ａ）と略平行に並ぶように、太陽電池モジュールの縦幅（Ｄ２）が設定されていることを特徴とする請求項１に記載の太陽電池モジュール。
【請求項４】
太陽電池モジュールの縦幅（Ｄ２）が、屋根材（３）の縦方向の働き寸法（Ｄ１）の整数倍に設定され、太陽電池モジュールの横幅（Ｗ２）が、屋根材（３）の横方向の働き寸法（Ｗ１）の整数倍に設定されていることを特徴とする請求項１に記載の太陽電池モジュール。
【発明の詳細な説明】
【技術分野】
【０００１】
本発明は、寄棟屋根等の屋根に、屋根材と共に配置される太陽電池モジュールに関するものである。
【背景技術】
【０００２】
従来、寄棟屋根等の屋根に、屋根材と共に配置される太陽電池モジュールのサイズ、即ち、太陽電池モジュールの縦幅（屋根流れ方向の寸法）及び太陽電池モジュールの横幅（桁行方向の寸法）は、太陽電池のセルサイズから決定され、屋根材や住宅の屋根のサイズは無視されていた（例えば、特許文献１及び特許文献２）。
また、屋根材１枚の働き寸法に合わせた太陽電池モジュールを製造したものがある（例えば、特許文献３）。
【特許文献１】特開２００２−１９４８６６号公報
【特許文献２】特開２０００−２８２６４９号公報
【特許文献３】特開２０００−２８２６５０号公報
【発明の開示】
【発明が解決しようとする課題】
【０００３】
しかし、前者の従来の場合、寄棟屋根等の屋根に、屋根材と共に太陽電池モジュールを配置すると、屋根材の配置と太陽電池モジュールの配置とが相互に対応しなくなり、屋根の美観を損ねるという問題があった。また、太陽電池モジュールに隣接する屋根材を太陽電池モジュールの端部形状に合致するように切断する必要が生じ、屋根材に無駄な多くの廃材が生じて不経済になったり、屋根材の切断等のために屋根材及び太陽電池モジュールの設置作業に面倒を要した。
また、後者の従来の場合、太陽電池モジュールのサイズを屋根材の働き寸法に合わせるため、太陽電池モジュールが必要以上に小型化し、太陽電池モジュールの１枚毎の製造コストがアップするという問題があった。
【０００４】
本発明は、上記問題点に鑑み、安価に製造することができると共に、屋根に屋根材と共に太陽電池モジュールを外観上体裁よく配置することができ、また、屋根材を中途半端に切断する必要がなくて、屋根材及び太陽電池モジュールの屋根への設置が簡単で、屋根材の廃材が生じ難く経済的になるようにしたものである。
【課題を解決するための手段】
【０００５】
この技術的課題を解決するための本発明の技術的手段は、寄棟屋根等の屋根１に、屋根材３と共に配置される太陽電池モジュールにおいて、
太陽電池モジュールの縦幅Ｄ２又は横幅Ｗ２の一方が、屋根材３の同方向の働き寸法Ｄ１，Ｗ１の整数倍に設定されている点にある。
また、本発明の他の技術的手段は、太陽電池モジュールの縦幅Ｄ２が、屋根材３の縦方向の働き寸法Ｄ１の整数倍に設定され、太陽電池モジュールを、幅方向に１枚、１／２枚、１／３枚又は１／４枚ずつずらして順次屋根１の屋根流れ方向に並べたときに、複数の太陽電池モジュールが、屋根１の隅棟稜線Ａと略平行に並ぶように、太陽電池モジュールの横幅Ｗ２が設定されている点にある。
【０００６】
また、本発明の他の技術的手段は、太陽電池モジュールの横幅Ｗ２が、屋根材３の横方向の働き寸法Ｗ１の整数倍に設定され、太陽電池モジュールを、幅方向に１枚、１／２枚、１／３枚又は１／４枚ずつずらして順次屋根１の屋根流れ方向に並べたときに、複数の太陽電池モジュールが、屋根１の隅棟稜線Ａと略平行に並ぶように、太陽電池モジュールの縦幅Ｄ２が設定されている点にある。
また、本発明の他の技術的手段は、太陽電池モジュールの縦幅Ｄ２が、屋根材３の縦方向の働き寸法Ｄ１の整数倍に設定され、太陽電池モジュールの横幅Ｗ２が、屋根材３の横方向の働き寸法Ｗ１の整数倍に設定されている点にある。
【発明の効果】
【０００７】
本発明のよれば、太陽電池モジュールを安価に製造することができると共に、屋根に屋根材と共に太陽電池モジュールを外観上体裁よく配置することができる。また、屋根材を中途半端に切断する必要がなくて、屋根材及び太陽電池モジュールの屋根への設置が簡単で、屋根材の廃材が生じ難く経済的になる。
【発明を実施するための最良の形態】
【０００８】
以下、本発明を図示の実施の形態に従って説明する。
図１において、１は住宅等の建物の寄棟屋根で、この寄棟屋根１は、例えば５寸勾配に形成されて、ストレート瓦等の多数の屋根材３と共に多数の太陽電池モジュール４が配置され、寄棟屋根１の桁行方向の両端側に隅棟稜線Ａを有している。
各屋根材３は、屋根瓦としての機能を持つ通常の屋根材であって、縦方向（屋根流れ方向）の働き寸法Ｄ１が２８０ｍｍに設定され、横方向（桁行方向）の働き寸法Ｗ１が３０３ｍｍに設定されている。
【０００９】
各太陽電池モジュール４は、通常の屋根材と同じように野地板にレール無しで葺き上げることができる屋根瓦としての機能を併せ持つ屋根材一体型のもので、図２に示すように、ソーラーセルをガラスで封入してなる複数の太陽電池５を板金製の矩形のモジュール基板６の上面に張り付けて構成され、太陽電池モジュール４は、縦幅（屋根流れ方向の寸法）Ｄ２が２８０ｍｍに設定され、横幅（桁行方向の寸法）Ｗ２が５００ｍｍに設定されている。従って、太陽電池モジュール４の縦幅Ｄ２が、屋根材３の縦方向の働き寸法Ｄ１の整数倍（１倍）に設定されている。
【００１０】
そして、太陽電池モジュール４は、寄棟屋根１の中央側に、屋根流れ方向に隣り合う太陽電池モジュール４同士が幅方向（桁行方向）に１／２枚ずつずれるように配置され、多数の太陽電池モジュール４は、寄棟屋根１の中央側に全体として台形状に配置され、台形状に並べられた太陽電池モジュール４の外周を屋根材３が取り囲んだ状態になっている。従って、桁行方向両端側の太陽電池モジュール４は、順次幅方向に１／２枚ずつずれて寄棟屋根１の屋根流れ方向に並べられている。
そして、縦幅Ｄ２を屋根材３の縦方向の働き寸法Ｄ１と同一の２８０ｍｍに設定した太陽電池モジュール４の横幅Ｗ２を、５００ｍｍに設定することによって、太陽電池モジュール４を、順次幅方向に１／２枚ずつずらして屋根流れ方向に並べたときに、複数の太陽電池モジュール４が、隅棟屋根１の隅棟稜線Ａと略平行に並ぶようになっている。即ち、桁行方向の外端側に屋根流れ方向に並ぶ太陽電池モジュール４を、順次１／２枚ずつずらして屋根流れ方向に並べると、例えば桁行方向の外端側の太陽電池モジュール４の幅方向外端側の上側頂点ａ（図３参照）を結ぶ線分Ｂと、これに隣接する側の隅棟稜線Ａとが略平行になるようになっている。
【００１１】
上記実施の形態によれば、屋根材３は、縦方向の働き寸法Ｄ１が２８０ｍｍ、横方向の働き寸法Ｗ１が３０３ｍｍに設定され、これに対して、太陽電池モジュール４は、縦幅Ｄ２が２８０ｍｍ、横幅Ｗ２が５００ｍｍに設定されており、多数の太陽電池モジュール４を、寄棟屋根１の中央側に、屋根流れ方向に隣り合う太陽電池モジュール４同士が幅方向に１／２枚ずつずれるように配置して、多数の太陽電池モジュール４を、寄棟屋根１の中央側に全体として略台形状に配置すると共に、太陽電池モジュール４の外周に、多数の屋根材３を取り囲むように配置すると、太陽電池モジュール４の縦方向の両端縁と屋根材３の縦方向の両端縁とを一致させることができて、これにより、屋根材３の配置と太陽電池モジュール４の配置とを統一させて、隅棟屋根１の全体を調和の取れた外観上の体裁のよいものになすことができる。
【００１２】
しかも、台形状に配置した太陽電池モジュール４のうちの桁行方向の両外端側の太陽電池モジュール４を、隅棟屋根１の隅棟稜線Ａと略平行に並ぶように配置することができ、この点からも、太陽電池モジュール４の配置を、隅棟屋根１の全体から見ても調和と統一の取れた外観上の体裁のよいものになし得る。
図３は他の実施形態を示し、屋根材３は、縦方向の働き寸法Ｄ１が２８０ｍｍ、横方向の働き寸法Ｗ１が３０３ｍｍに設定され、これに対して、太陽電池モジュール４は、縦幅Ｄ２が５６０ｍｍ、横幅Ｗ２が５００ｍｍに設定されている。従って、太陽電池モジュール４の縦幅Ｄ２が、屋根材３の縦方向の働き寸法Ｄ１の整数倍（２倍）に設定され、太陽電池モジュール４を、順次幅方向に１枚ずつずらして隅棟屋根１の屋根流れ方向に並べたときに、複数の太陽電池モジュール４が、隅棟屋根１の隅棟稜線Ａと略平行に並ぶように、太陽電池モジュール４の横幅Ｗ２が５００ｍｍに設定されている。その他の点は前記実施の形態の場合と同様の構成である。
【００１３】
上記実施の形態によれば、多数の太陽電池モジュール４を、寄棟屋根１の中央側に、屋根流れ方向に隣り合う太陽電池モジュール４同士が幅方向に１枚ずつずれるように配置して、多数の太陽電池モジュール４を、寄棟屋根１の中央側に全体として台形状に配置すると共に、太陽電池モジュール４の外周に、多数の屋根材３を取り囲むように配置すると、太陽電池モジュール４の縦方向の両端縁を、屋根流れ方向に２段毎の屋根材３の縦方向の両端縁に一致させることができて、これにより、屋根材３の配置と太陽電池モジュール４の配置とを統一させることができ、しかも、台形状に配置した太陽電池モジュール４のうちの桁行方向の両外端側の太陽電池モジュール４を、隅棟屋根１の隅棟稜線Ａと略平行に並ぶように配置することができ、この点からも、太陽電池モジュール４の配置を、隅棟屋根１の全体から見ても調和と統一の取れたものになし得て、外観上の体裁がよくなる。
【００１４】
図４は他の実施形態を示し、屋根材３は、縦方向の働き寸法Ｄ１が２８０ｍｍ、横方向の働き寸法Ｗ１が３０３ｍｍに設定され、これに対して、太陽電池モジュール４は、縦幅Ｄ２が５６０ｍｍ、横幅Ｗ２が１０００ｍｍに設定されている。従って、太陽電池モジュール４の縦幅Ｄ２が、屋根材３の縦方向の働き寸法Ｄ１の整数倍（２倍）に設定され、太陽電池モジュール４を、順次幅方向に１／２枚ずつずらして隅棟屋根１の屋根流れ方向に並べたときに、複数の太陽電池モジュール４が、隅棟屋根１の隅棟稜線Ａと略平行に並ぶように、太陽電池モジュール４の横幅Ｗ２が１０００ｍｍに設定されている。その他の点は前記実施の形態の場合と同様の構成である。
【００１５】
上記実施の形態によれば、前記実施の形態の場合と同様に、屋根流れ方向に隣り合う太陽電池モジュール４同士が幅方向に１／２枚ずつずれるように、太陽電池モジュール４を配置すると、太陽電池モジュール４の縦方向の両端縁を、屋根流れ方向に２段毎の屋根材３の縦方向の両端縁に一致させることができて、屋根材３の配置と太陽電池モジュール４の配置とを統一させることができ、しかも、台形状に配置した太陽電池モジュール４のうちの桁行方向の両外端側の太陽電池モジュール４を、隅棟屋根１の隅棟稜線Ａと略平行に並ぶように配置することができ、太陽電池モジュール４の配置を、隅棟屋根１の全体から見ても調和と統一の取れたものになし得て、外観上の体裁がよくなる。
【００１６】
図５は他の実施形態を示し、例えば５寸勾配に形成された菱形形状の屋根１に、多数の屋根材３と共に多数の太陽電池モジュール４が配置され、屋根材３は、縦方向の働き寸法Ｄ１が２８０ｍｍ、横方向の働き寸法Ｗ１が３０３ｍｍに設定され、これに対して、太陽電池モジュール４は、縦幅Ｄ２が５６０ｍｍ、横幅Ｗ２が１５００ｍｍに設定されている。従って、太陽電池モジュール４の縦幅Ｄ２が、屋根材３の縦方向の働き寸法Ｄ１の整数倍（２倍）に設定され、太陽電池モジュール４を、順次幅方向に１／３枚ずつずらして屋根１の屋根流れ方向に並べたときに、複数の太陽電池モジュール４が、隅棟屋根１の隅棟稜線Ａと略平行に並ぶように、太陽電池モジュール４の横幅Ｗ２が１５００ｍｍに設定されている。その他の点は前記実施の形態の場合と同様の構成である。
【００１７】
上記実施の形態によれば、多数の太陽電池モジュール４を、屋根１の中央側に、屋根流れ方向に隣り合う太陽電池モジュール４同士が幅方向に１／３枚ずつずれるように配置して、多数の太陽電池モジュール４を、屋根１の中央側に全体として一列状に配置すると共に、太陽電池モジュール４の外周に、多数の屋根材３を取り囲むように配置すると、配置した太陽電池モジュール４の縦方向の両端縁を、屋根流れ方向に２段毎の屋根材３の縦方向の両端縁に一致させることができて、これにより、屋根材３の配置と太陽電池モジュール４の配置とを統一させることができ、しかも、太陽電池モジュール４を、隅棟屋根１の隅棟稜線Ａと略平行に並ぶように配置することができ、この点からも、太陽電池モジュール４の配置を、隅棟屋根１の全体から見ても調和と統一の取れたものになし得て、外観上の体裁がよくなる。
【００１８】
図６は他の実施形態を示し、菱形形状の屋根１に、多数の屋根材３と共に多数の太陽電池モジュール４が配置され、屋根材３は、縦方向の働き寸法Ｄ１が２８０ｍｍ、横方向の働き寸法Ｗ１が３０３ｍｍに設定され、これに対して、太陽電池モジュール４は、縦幅Ｄ２が５６０ｍｍ、横幅Ｗ２が２０００ｍｍに設定されている。従って、太陽電池モジュール４の縦幅Ｄ２が、屋根材３の縦方向の働き寸法Ｄ１の整数倍（２倍）に設定され、太陽電池モジュール４を、順次幅方向に１／４枚ずつずらして屋根１の屋根流れ方向に並べたときに、複数の太陽電池モジュール４が、屋根１の隅棟稜線Ａと略平行に並ぶように、太陽電池モジュール４の横幅Ｗ２が２０００ｍｍに設定されている。その他の点は前記実施の形態の場合と同様の構成である。
【００１９】
上記実施の形態によれば、前記実施の形態の場合と同様に、屋根流れ方向に隣り合う太陽電池モジュール４同士が幅方向に１／３枚ずつずれるように、複数の太陽電池モジュール４を配置すると、太陽電池モジュール４の縦方向の両端縁を、屋根流れ方向に２段毎の屋根材３の縦方向の両端縁に一致させることができて、屋根材３の配置と太陽電池モジュール４の配置とを統一させることができ、しかも、太陽電池モジュール４を、隅棟屋根１の隅棟稜線Ａと略平行に並ぶように配置することができ、太陽電池モジュール４の配置を、隅棟屋根１の全体から見ても調和と統一の取れたものになし得て、外観上の体裁がよくなる。
【００２０】
図７は他の実施形態を示し、寄棟屋根等の屋根１に、多数の屋根材３と共に太陽電池モジュール４が配置され、屋根材３は、縦方向の働き寸法Ｄ１が２８０ｍｍ、横方向の働き寸法Ｗ１が３０３ｍｍに設定され、これに対して、太陽電池モジュール４は、縦幅Ｄ２が５６０ｍｍ、横幅Ｗ２が９１０ｍｍに設定されている。従って、太陽電池モジュール４の縦幅Ｄ２が、屋根材３の縦方向の働き寸法Ｄ１の整数倍（２倍）に設定され、太陽電池モジュール４の横幅Ｗ２が、屋根材３の横方向の働き寸法Ｗ１の整数倍（３倍）に設定されている。その他の点は前記実施の形態の場合と同様の構成である。
【００２１】
太陽電池モジュール４は、図８にも示すように、ソーラーセルをガラスで封入してなる複数の太陽電池５を板金製の矩形のモジュール基板６の上面に張り付けて構成され、太陽電池モジュール４は、縦幅が２８０ｍｍ（屋根材３の縦方向の働き寸法Ｄ１と同一）の棟側モジュール部４ａと、縦幅が２８０ｍｍ（屋根材３の縦方向の働き寸法Ｄ１と同一）の軒側モジュール部４ｂとを一体に有してなる。
上記実施の形態によれば、太陽電池モジュール４を、屋根１の中央側に、１枚又は複数枚配置すると共に、太陽電池モジュール４の外周に、多数の屋根材３を取り囲むように配置すると、太陽電池モジュール４の縦方向の両端縁を、屋根流れ方向に２段毎の屋根材３の縦方向の両端縁に一致させることができて、これにより、屋根材３の配置と太陽電池モジュール４の配置とを統一させて、隅棟屋根等の屋根１の全体を調和の取れた外観上の体裁のよいものになすことができる。しかも、太陽電池モジュール４は、横方向に並べた屋根材２の３枚分に相当するため、例えば、屋根材３を屋根流れ方向に順次１／２枚ずつずらして配置した場合に、太陽電池モジュール４に桁行方向に対応する２段の屋根材３のうちの一方（図例では軒側の屋根材３）については、太陽電池モジュール２の幅方向の両端縁にそれぞれ両側から接当させるように配置すればよく、屋根材３を全く切断することなく太陽電池モジュール４の幅方向両側に隣接して配置することができる。また、太陽電池モジュール４に隣接する２段の屋根材３のうちの他方（図例では下段の屋根材３）については、屋根材３を幅方向に２分割して、２分割した一方の分割屋根材３を、太陽電池モジュール２の幅方向の一端側に隣接するように配置すると共に、２分割した他方の分割屋根材３を、太陽電池モジュール４の幅方向の他端側に隣接するように配置すればよい。
【００２２】
従って、太陽電池モジュール４に隣接する屋根材３を太陽電池モジュール４の端部形状に合致するように屋根材３を中途半端に切断する必要がなくなり、屋根材３の切断等のために屋根材３及び太陽電池モジュール４の設置作業が面倒になるのを防止することができるし、屋根材１に無駄な廃材が生じなくなり、経済的にも有利になる。
図９は図７及び図８における太陽電池モジュール４の変形例を示す実施形態を示し、太陽電池モジュール４は、ソーラーセルをガラスで封入してなる複数の太陽電池５を板金製の矩形のモジュール基板６の上面に張り付けて構成され、太陽電池モジュール４は、縦幅が２８０ｍｍ（屋根材３の縦方向の働き寸法Ｄ１と同一）の棟側モジュール部４ａと縦幅が２８０ｍｍ（屋根材３の縦方向の働き寸法Ｄ１と同一）の軒側モジュール部４ｂとを一体に有し、棟側モジュール部４ａと軒側モジュール部４ｂとの間に段差Ｅが形成されている。その他の点は前記図７及び図８の実施形態の場合と同様の構成である。
【００２３】
この場合、屋根流れ方向に隣り合う屋根材３間に比較的大きな段差があるときには、太陽電池モジュール４の屋根流れ方向の傾斜を、屋根流れ方向に隣り合う各屋根材３により良好に合致させることができるし、屋根流れ方向に隣り合う屋根材３同士の段差に対し、棟側モジュール部４ａと軒側モジュール部４ｂとの間の段差Ｅをより適合させることができ、これらの点からも、屋根材３の配置と太陽電池モジュール４の配置とを統一させ、屋根１全体をより調和の取れたものになし得る。
なお、前記図１及び図２、図３、図４、図５又は図６の実施の形態では、太陽電池モジュール４の縦幅Ｄ２が、屋根材３の縦方向の働き寸法Ｄ１の整数倍に設定され、太陽電池モジュール４を、順次幅方向に１枚、１／２枚、１／３枚又は１／４枚ずつずらして屋根１の屋根流れ方向に並べたときに、複数の太陽電池モジュール４が、屋根１の隅棟稜線Ａと略平行に並ぶように、太陽電池モジュール４の横幅（桁行方向の寸法）Ｗ２が設定されているが、これに代え、太陽電池モジュール４の横幅（桁行方向の寸法）Ｗ２を、屋根材３の横方向の働き寸法Ｗ１の整数倍に設定し、太陽電池モジュール４を、順次幅方向に１枚、１／２枚、１／３枚又は１／４枚ずつずらして屋根の屋根流れ方向に並べたときに、複数の太陽電池モジュール４が、屋根１の隅棟稜線Ａと略平行に並ぶように、太陽電池モジュール４の縦幅Ｄ２を設定するようにしてもよい。
【００２４】
この場合、太陽電池モジュール４は、横方向に並べた屋根材２の複数枚分に相当するため、太陽電池モジュール４に隣接する屋根材３を太陽電池モジュール４の端部形状に合致するように屋根材３を中途半端に切断する必要がなくなり、屋根材３の切断等のために屋根材３及び太陽電池モジュール４の設置作業が面倒になるのを防止することができるし、屋根材１に無駄な廃材が生じなくなり、経済的にも有利になる。しかも、台形状等に配置した太陽電池モジュール４のうちの桁行方向の両外端側の太陽電池モジュール４を、屋根１の隅棟稜線Ａと略平行に並ぶように配置することができ、この点から、太陽電池モジュール４の配置を、屋根１の全体から見て、調和と統一の取れた外観上の体裁のよいものになし得る。
【００２５】
また、前記図１及び図２、図３、図４、図５又は図６の実施の形態で使用される太陽電池モジュール４は、図２に示すような構成のものに限定されず、太陽電池モジュール４は、例えば図７及び図８に示すように、棟側モジュール部４ａと軒側モジュール部４ｂとを一体に有してなるものであってもよいし、また、図９に示すように、棟側モジュール部４ａと軒側モジュール部４ｂとの間に段差Ｅが形成されたものであってもよい。
また、前記実施の形態では、屋根材３は、縦方向の働き寸法Ｄ１が２８０ｍｍに設定され、横方向の働き寸法Ｗ１が３０３ｍｍに設定されているが、屋根１に太陽電池モジュール４と共に配置される屋根材３はこのような寸法のものに限定されない。また、屋根１のの勾配は５寸勾配のものに限定されず、６寸勾配その他の勾配であってもよい。
【産業上の利用可能性】
【００２６】
住宅等の建物の寄棟屋根等の屋根に、屋根材と共に配置される太陽電池モジュールに利用することができる。
【図面の簡単な説明】
【００２７】
【図１】本発明の一実施の形態を示す寄棟屋根の平面図である。
【図２】同太陽電池モジュールの平面図である。
【図３】他の実施形態を示す寄棟屋根の平面図である。
【図４】他の実施形態を示す寄棟屋根の平面図である。
【図５】他の実施形態を示す屋根の平面図である。
【図６】他の実施形態を示す屋根の平面図である。
【図７】他の実施形態を示す屋根の平面図である。
【図８】同太陽電池モジュールの側面図である。
【図９】他の太陽電池モジュールの側面図である。
【符号の説明】
【００２８】
１    寄棟屋根
３    屋根材
４    太陽電池モジュール
Ｄ１    縦方向の働き寸法
Ｗ１    横方向の働き寸法
Ｄ２    縦幅
Ｗ２    横幅
【図１】
2005146538.tif 000003
【図２】
2005146538.tif 000004
【図３】
2005146538.tif 000005
【図４】
2005146538.tif 000006
【図５】
2005146538.tif 000007
【図６】
2005146538.tif 000008
【図７】
2005146538.tif 000009
【図８】
2005146538.tif 000010
【図９】
2005146538.tif 000011